(57)【要約】【課題】製造性および防火性により優れた枠体等を提供する。【解決手段】長手方向に沿って貫通する中空部を有する複数の中空部材のうちの隣接する２つの前記中空部材が、前記長手方向に対して斜めに形成された小口同士を突き合わせて溶着することにより接合されて枠状をなし、前記隣接する前記中空部材の前記中空部内に前記長手方向に沿って、前記中空部材より融点が高い材料で形成された補強部材を備え、  前記補強部材は、前記中空部の小口における内周側の縁より先端側に延出した先端延出部を有し、前記先端延出部の内周側に加熱されて発泡する加熱発泡材を備えている。【選択図】図２
2018035665.tif 000002
【特許請求の範囲】
【請求項１】
複数の枠部材が枠組みされた窓枠と、当該窓枠内をスライド移動可能とする障子とを備えた建具であって、
前記枠部材は、
前記窓枠の内周側に向けて突出するとともに、当該枠部材の長手方向に沿って延在する突出部を備え、
前記突出部は、
前記長手方向に沿って貫通する第１中空部を有し、
前記第１中空部内には、
前記長手方向に沿って延在し、前記枠部材より融点が高い材料で形成された突部補強部材が設けられ、
前記突部補強部材には、
加熱されて発泡する加熱発泡材が設けられている
ことを特徴とする建具。
【請求項２】
前記突部補強部材は、
連結板部と、当該連結板部における前記窓枠の外周側の縁部から延在する外側板部と、当該連結板部における前記窓枠の内周側の縁部から延在して当該外側板部に対向する内側板部とを有する断面略コ字状に形成され、
前記加熱発泡材は、
前記突部補強部材における断面略コ字状の内側の面に設けられている
ことを特徴とする請求項１に記載の建具。
【請求項３】
前記突出部は、
室内側に配置される内突出部と、前記内突出部に対して室外側に配置される外突出部との２つ設けられ、
前記突部補強部材は、
前記内突出部の前記第１中空部内に設けられる内突部補強部材と、前記外突出部の前記第１中空部内に設けられる外突部補強部材との２つ設けられ、
前記内突部補強部材は、
断面略コ字状の開口が室内側に向く姿勢で配設され、
前記外突部補強部材は、
断面略コ字状の開口が室外側に向く姿勢で配設されている
ことを特徴とする請求項２に記載の建具。
【請求項４】
前記枠部材は、
前記突出部に対して前記窓枠の外周側に位置するとともに、前記長手方向に沿って延在する枠本体部を備え、
前記枠本体部は、
前記長手方向に沿って貫通する第２中空部を有し、
前記第２中空部内には、
前記長手方向に沿って延在し、前記枠部材より融点が高い材料で形成された枠補強部材が設けられ、
前記突部補強部材は、
前記第１中空部及び前記第２中空部間の壁部を貫通する固定具を介して前記枠補強部材に連結されている
ことを特徴とする請求項１〜３のいずれか一つに記載の建具。
【請求項５】
前記突部補強部材は、
連結板部と、当該連結板部における前記窓枠の外周側の縁部から延在する外側板部と、当該連結板部における前記窓枠の内周側の縁部から延在して当該外側板部に対向する内側板部とを有する断面略コ字状に形成され、
前記固定具は、
前記外側板部、前記内側板部、及び前記壁部を貫通して、前記突部補強部材及び前記枠補強部材を互いに連結する
ことを特徴とする請求項４に記載の建具。
【発明の詳細な説明】
【技術分野】
【０００１】
本発明は、長手方向に沿う中空部を有する複数の中空部材の小口同士を突き合わせて溶着した枠体、障子、窓枠および建具に関する。
【背景技術】
【０００２】
長手方向に沿う中空部を有する複数の中空部材の小口同士を突き合わせて溶着した枠体、障子、窓枠および建具としては、例えば、上下方向の中央に中桟を備え４本の框材を矩形状に接合した框を備える扉と、扉を支持する枠体とを備えた建具が知られている（例えば、特許文献１参照）。このような扉の框材の端部同士または框材と中桟の端部同士の接合は、溶着する２つの部材の突き合わされる部位間にヒーターを当接して接合部分を溶融させた後に、溶融された端部（小口）同士を突き合わせて接合するため、２つの部材の接合部より外側に補強部材を突出させることはもちろんのこと、補強部材の端部を溶融される２つの部材の端部に合わせることはできない。このため、例えば、補強部材の端部が框材または中桟の端部の斜めの部位側に突出することなく、その一部を折り曲げる等して長手方向と交差し、接合される相手の部材と対向する面を形成し、形成された面に加熱発泡材（熱膨張性耐火材）を備えることにより、火炎等に晒された場合に加熱発泡材が発泡して、２つの部材の接合部分において補強部材が存在しない部分を塞ぐように構成されている。
【先行技術文献】
【特許文献】
【０００３】
【特許文献１】特開２０１４−１２９６６２号公報
【発明の概要】
【発明が解決しようとする課題】
【０００４】
上述した扉のように、補強部材の端部を框材などの斜めの部位側に突出させない場合には、補強部材に長手方向と交差し接合する相手の部材と対向する面を形成しなければならないため、補強部材の加工が煩雑である。また、框材と中桟とを溶着した部位には、框材と中桟の斜めの部位には補強部材が設けられていないため、火炎等に晒された場合、発泡した加熱発泡材のみにより塞がれる部位が広く防火性能が低いという課題がある。
本発明は、かかる課題に鑑みてなされたものであり、その目的とするところは、製造性および防火性により優れた枠体、障子、窓枠および建具を提供することにある。
【課題を解決するための手段】
【０００５】
かかる目的を達成するために本発明の建具は、複数の枠部材が枠組みされた窓枠と、当該窓枠内をスライド移動可能とする障子とを備えた建具であって、前記枠部材は、前記窓枠の内周側に向けて突出するとともに、当該枠部材の長手方向に沿って延在する突出部を備え、前記突出部は、前記長手方向に沿って貫通する第１中空部を有し、前記第１中空部内には、前記長手方向に沿って延在し、前記枠部材より融点が高い材料で形成された突部補強部材が設けられ、前記突部補強部材には、加熱されて発泡する加熱発泡材が設けられていることを特徴とする。
【０００６】
かかる建具であって、前記突部補強部材は、連結板部と、当該連結板部における前記窓枠の外周側の縁部から延在する外側板部と、当該連結板部における前記窓枠の内周側の縁部から延在して当該外側板部に対向する内側板部とを有する断面略コ字状に形成され、前記加熱発泡材は、前記突部補強部材における断面略コ字状の内側の面に設けられていることを特徴とすることが望ましい。
【０００７】
かかる建具であって、前記突出部は、室内側に配置される内突出部と、前記内突出部に対して室外側に配置される外突出部との２つ設けられ、前記突部補強部材は、前記内突出部の前記第１中空部内に設けられる内突部補強部材と、前記外突出部の前記第１中空部内に設けられる外突部補強部材との２つ設けられ、前記内突部補強部材は、断面略コ字状の開口が室内側に向く姿勢で配設され、前記外突部補強部材は、断面略コ字状の開口が室外側に向く姿勢で配設されていることが望ましい。
【０００８】
かかる建具であって、前記枠部材は、前記突出部に対して前記窓枠の外周側に位置するとともに、前記長手方向に沿って延在する枠本体部を備え、前記枠本体部は、前記長手方向に沿って貫通する第２中空部を有し、前記第２中空部内には、前記長手方向に沿って延在し、前記枠部材より融点が高い材料で形成された枠補強部材が設けられ、前記突部補強部材は、前記第１中空部及び前記第２中空部間の壁部を貫通する固定具を介して前記枠補強部材に連結されていることが望ましい。
【０００９】
かかる建具であって、前記突部補強部材は、連結板部と、当該連結板部における前記窓枠の外周側の縁部から延在する外側板部と、当該連結板部における前記窓枠の内周側の縁部から延在して当該外側板部に対向する内側板部とを有する断面略コ字状に形成され、前記固定具は、前記外側板部、前記内側板部、及び前記壁部を貫通して、前記突部補強部材及び前記枠補強部材を互いに連結することが望ましい。
【発明の効果】
【００１０】
本発明によれば、製造性および防火性により優れた枠体、障子、窓枠および建具を提供することが可能である。
【図面の簡単な説明】
【００１１】
【図１】本実施形態に係る建具を室内側から見た外観図である。
【図２】上枠と左枠との接合部及び上框と外障子の戸先框との接合部を示す縦断面図である。
【図３】上枠と上框を示す縦断面図である。
【図４】左枠と外障子の戸先框を示す横断面図である。
【図５】下枠と右枠との接合部及び下框と内障子の戸先框との接合部を示す縦断面図である。
【図６】下枠と下框を示す縦断面図である。
【図７】右枠と内障子の戸先框を示す横断面図である。
【発明を実施するための形態】
【００１２】
以下、本発明の一実施形態に係る建具について図面を参照して説明する。
本実施形態では、図１に示すような内障子３外障子４を備えた引き違い窓用の建具１を例に挙げて説明する。
【００１３】
本実施形態の建具１は、引き違い方式にて移動可能な２枚の障子３、４と、躯体２に取り付けられて２枚の障子３、４により閉塞可能な開口１０ａを形成する合成樹脂製の枠状をなす枠体としての窓枠１０とを有している。
【００１４】
以下の説明においては、躯体２の取り付けられた建具１を室内側から見たときに、上下となる方向を上下方向、左右となる方向を左右方向、室内外方向である奥行き方向を見込み方向とするとともに、窓枠１０の面内方向において開口１０ａの中央側を内周側、窓枠１０の外側を外周側として示す。また、建具１を構成する各部材及び各部位については、単体の状態であっても建具１が取り付けられた状態で上下方向、左右方向、見込み方向等となる方向、及び、枠体の内周側、外周側にて方向を特定して説明する。
【００１５】
窓枠１０は、合成樹脂製の４本の押出成形部材でなる枠材１１、１２、１３、１４が上枠１１、下枠１２、左枠１３及び右枠１４をなすように矩形状に枠組みされて形成されている。上枠１１、下枠１２、左枠１３及び右枠１４は、図１に示すように、各々所定の長さにて小口１１ａ、１２ａ、１３ａ、１４ａが、長手方向に対して４５度をなすように斜めに切断され、互いに隣接する枠材１１、１２、１３、１４の小口１１ａ、１２ａ、１３ａ、１４ａ同士を突き合わされて溶着されている。ここで、各枠材１１、１２、１３、１４の断面形状がほぼ同一であり、互いに隣り合う枠材１１、１２、１３、１４同士が９０度をなすように接合するため、各枠材１１、１２、１３、１４の小口１１ａ、１２ａ、１３ａ、１４ａを４５度に切断しているが、接合する枠材の断面形状が相違する場合など、枠材の小口は必ずしも４５度でなくとも構わない。
【００１６】
上枠１１、下枠１２、左枠１３及び右枠１４は、同一の断面形状をなしており、矩形状に接合された窓枠１０の各接合部において共通する構成について、上枠１１と左枠１３との接合部を例に挙げて説明する。また、ほぼ同一の形状をなす、上枠１１、下枠１２、左枠１３及び右枠１４の構造については上枠１１を例に挙げて説明し、下枠１２、左枠１３及び右枠１４については、上枠１１と同一の部位に、各々の枠材を示す番号、例えば左枠の場合には「１３」の後に同一の数字およびアルファベット添えた符号を付して示すものとする。
【００１７】
上枠１１は、図２、図３に示すように、長手方向となる左右方向に貫通し見込み方向に並べて設けられた５つの中空部１１１ａ、１１１ｂ、１１１ｃ、１１１ｄ、１１１ｅを有する枠本体部１１１と、枠本体部１１１をなし開口１０ａの中央側に臨む平面を形成する本体内板部１１２の室内側の端から下方に垂設された内壁部１１３と、本体内板部１１２の室外側の端から下方に垂設された外壁部１１４と、内壁部１１３と外壁部１１４との間にて見込み方向において互いに間隔を隔てて本体内板部１１２から窓枠１０の内周側に突出する内突出部１１５および外突出部１１６と、枠本体部１１１の上側となる外周面１１７に設けられて躯体２に固定される上躯体固定部１１８と、内壁部１１３の室内に臨む面に設けられて躯体２に固定される内躯体固定部１１９と、を有している。
【００１８】
内突出部１１５は、枠本体部１１１が有する室内側から２つめの中空部１１１ｄの下に突出しており、外突出部１１６は、室外側から２つめの中空部１１１ｂの下に突出している。
【００１９】
上枠１１の内突出部１１５と下枠１２の内突出部１２５は、内障子３を案内するレールをなし、上枠１１の外突出部１１６と下枠１２の外突出部１２６は、外障子４を案内するレールをなす。また、左枠１３の外突出部１３６は、図４に示すように、外障子４を閉じた際に外障子４の戸先框２３に入り込み、右枠１４の内突出部１４５は、図７に示すように、内障子３を閉じた際に内障子３の戸先框２３に入り込むように構成されている。
【００２０】
上枠１１の枠本体部１１１の５つの中空部１１１ａ、１１１ｂ、１１１ｃ、１１１ｄ、１１１ｅのうちの、最も室外側の中空部１１１ａと最も室内側の中空部１１１ｅを除き、３つの中空部１１１ｂ、１１１ｃ、１１１ｄ内に、長手方向に沿ってほぼ全長に渡り、窓枠１０の各枠材１１、１２、１３、１４をなす合成樹脂より融点が高い、例えば鉄製の枠補強部材３０、３１、３２がそれぞれ設けられている。また、内突出部１１５および外突出部１１６は、長手方向に沿って中空部１１５ａ、１１６ａを備え、中空部１１５ａ、１１６ａ内に長手方向に沿ってほぼ全長に渡り、例えば鉄製の突部補強部材３３がそれぞれ設けられている。
【００２１】
左枠１３の枠本体部の５つの中空部１３１ａ、１３１ｂ、１３１ｃ、１３１ｄ、１３１ｅのうちの、室外側から２つめと３つめの中空部１３１ｂ、１３１ｃ内には、長手方向に沿ってほぼ全長に渡り、例えば鉄製の枠補強部材３０、３１が設けられており、外突出部１３６の中空部１３６ａ内には、長手方向に沿ってほぼ全長に亘り、例えば鉄製の突部補強部材３３が設けられている。
【００２２】
枠補強部材３０、３１、３２は、いずれも断面がコ字状をなし、各中空部１１１ｂ、１１１ｃ、１１１ｄの外周側の面に対向する外周板部３０ａ、３１ａ、３２ａと、内周側の面に対向する内周板部３０ｂ、３１ｂ、３２ｂと、外周板部３０ａ、３１ａ、３２ａの室外側の縁と内周板部３０ｂ、３１ｂ、３２ｂの室外側の縁とを連結する連結板部３０ｃ、３１ｃ、３２ｃとを有している。枠補強部材３０、３１、３２は、長手方向における両端部が、上枠１１および左枠１３の両端の小口１１ａ、１３ａの傾斜と同じ側に傾斜するように、長手方向に対して４５度をなすように斜めに形成されており、枠補強部材３０、３１、３２の端部が上枠１１および左枠１３の小口１１ａ、１３ａより中空部１１１ｂ、１１１ｃ、１１１ｄの内側に位置して小口１１ａ、１３ａの外に枠補強部材３０、３１、３２が突出しないように配置されている。
【００２３】
上枠１１の室外側から２つの中空部１１１ｂに設けられる枠補強部材３０には、連結板部３０ｃの室内側の面に、加熱発泡材としての熱膨張性黒鉛８が設けられている。連結板部３０ｃに設けられる熱膨張性黒鉛８は、図２に示すように、枠補強部材３０の長手方向において内周板部３０ｂとほぼ同じ範囲に設けられている。すなわち、連結板部３０ｃにおいて内周板部３０ｂより端部側に突出している部位には、熱膨張性黒鉛８は設けられていない。
【００２４】
枠補強部材３０の外周板部３０ａには、上枠１１の左端において中空部１１１ｂの小口１１ａの内周側の縁１１ｂより先端側に延出した先端延出部１１ｄに位置する突出対向板部３０ｄから内周板部３０ｂと対向する部位の一部に亘って、その内周側に熱膨張性黒鉛８が設けられている。すなわち、上枠１１に設けられた枠補強部材３０の外周板部３０ａの左端に設けられた熱膨張性黒鉛８は、上枠１１が左枠１３と接合されたときに左枠１３の中空部１３１ｂに向くように外周板部３０ａの突出対向板部３０ｄに貼り付けられているので、加熱された際には左枠１３の中空部１３１ｂに向かって発泡する。
【００２５】
また、上枠１１の室内側から２つの中空部１１１ｄに設けられる枠補強部材３２には、連結板部３２ｃの室外側の面に、熱膨張性黒鉛８が設けられている。連結板部３２ｃに設けられる熱膨張性黒鉛８は、図２に示すように、枠補強部材３２の長手方向において内周板部３２ｂとほぼ同じ範囲に設けられている。すなわち、連結板部３２ｃの内周板部３２ｂより端部側に突出している部位には、熱膨張性黒鉛８は設けられていない。
【００２６】
枠補強部材３２の外周板部３２ａには、上枠１１の右端において中空部１１１ｄの小口１１ａの内周側の縁（不図示）より先端側に延出した先端延出部１１ｄに位置する突出対向板部３２ｄから内周板部３２ｂと対向する部位の一部に亘って、その内周側に熱膨張性黒鉛８が設けられている。すなわち、上枠１１に設けられた枠補強部材３２の外周板部３２ａの右端に設けられた熱膨張性黒鉛８は、上枠１１が右枠１４と接合されたときに右枠１４の中空部１４１ｄに向くように外周板部３２ａの突出対向板部３２ｄに貼り付けられているので、加熱された際には右枠１４の中空部１４１ｄに向かって発泡する。
【００２７】
枠補強部材３０が設けられる中空部１１１ｂと、枠補強部材３２が設けられる中空部１１１ｄとの間の、中央の中空部１１１ｃに設けられる枠補強部材３１には、外周板部３１ａの外周側の面に、長手方向に沿って全長に亘り熱膨張性黒鉛８が設けられている。
【００２８】
中空部１１５ａ、１１６ａに設けられた突部補強部材３３は、中空部１１５ａ、１１６ａの外周側の内面と対面する外周対面部３３ａと、中空部１１５ａ、１１６ａの側面と対面する側対面部３３ｂと、側対面部３３ｂの内周側の縁１１ｃから斜めに延出された斜延出部３３ｃと、を有している。
【００２９】
突部補強部材３３は、図２に示すように、長手方向における両端部が、上枠１１の両端の小口１１ａと同様に、長手方向に対して４５度をなすように斜めに形成されており、突部補強部材３３の端部が上枠１１の小口１１ａより中空部１１５ａ、１１６ａの内側に位置して中空部１１５ａ、１１６ａから突部補強部材３３が突出しないように配置されている。また、突部補強部材３３は、下方から中空部１１５ａ、１１６ａを貫通して中空部１１１ｂ、１１１ｄに設けられた枠補強部材３０、３２に螺合するビスにより固定されている。
【００３０】
内突出部１１５の中空部１１５ａ内に設けられる突部補強部材３３は、側対面部３３ｂが中空部１１５ａの室外側の側面に対向させて配置され、側対面部３３ｂの室内側の面に熱膨張性黒鉛８が設けられている。側対面部３３ｂに設けられる熱膨張性黒鉛８は、図２に示すように、突部補強部材３３の長手方向において斜延出部３３ｃとほぼ同じ範囲に設けられている。すなわち、側対面部３３ｂの斜延出部３３ｃより突出している部位には、熱膨張性黒鉛８は設けられていない。
【００３１】
内突出部１１５の突部補強部材３３の外周対面部３３ａには、内突出部１１５の右端において中空部１１５ａの小口１１ａの内周側の縁（不図示）より先端側に延出した先端延出部１１ｄに位置する突出対向板部３３ｄから斜延出部３３ｃと対向する部位の一部に亘って、その内周側に熱膨張性黒鉛８が設けられている。すなわち、上枠１１の外周対面部３３ａの右端に設けられた熱膨張性黒鉛８は、上枠１１が右枠１４と接合されたときに右枠１４の中空部１４５ａに向くように外周対面部３３ａの突出対向板部３３ｄに貼り付けられているので、加熱された際には右枠１４の中空部１４５ａに向かって発泡する。内突出部１１５における上枠１１と右枠１４との接合部は、外突出部１１６における上枠１１と左枠１３との接合部と、左右方向が反転した構成なので、図示を省略している。
【００３２】
外突出部１１６の中空部１１６ａ内に設けられる突部補強部材３３は、側対面部３３ｂが中空部１１５ａの室内側の側面に対向させて配置され、側対面部３３ｂの室外側の面に熱膨張性黒鉛８が設けられている。側対面部３３ｂに設けられる熱膨張性黒鉛８は、図２に示すように、突部補強部材３３の長手方向において斜延出部３３ｃとほぼ同じ範囲に設けられている。すなわち、側対面部３３ｂの斜延出部３３ｃより突出している部位には、熱膨張性黒鉛８は設けられていない。
【００３３】
外突出部１１６の突部補強部材３３の外周対面部３３ａには、外突出部１１６の左端において中空部１１６ａの小口１１ａの内周側の縁１１ｃより先端側に延出した先端延出部１１ｄに位置する突出対向板部３３ｄから斜延出部３３ｃと対向する部位の一部に亘って、その内周側に熱膨張性黒鉛８が設けられている。すなわち、上枠１１の外周対面部３３ａの左端に設けられた熱膨張性黒鉛８は、上枠１１が左枠１３と接合されたときに左枠１３の中空部１３６ａに向くように外周対面部３３ａの突出対向板部３３ｄに貼り付けられているので、加熱された際には左枠１３の中空部１３６ａに向かって発泡する。
【００３４】
上枠１１は、上躯体固定部１１８に室外側から当接されて躯体２にビス止めされる縦板部２８ａと、枠本体部１１１の上面１１７に上方から当接されて枠補強部材３０、３２の外周板部３０ａ、３２ａにビス止めされる横板部２８ｂとを有する断面Ｌ字状の躯体固定金具２８と、最も室内側の中空部１１１ｅを形成する外周側の部位を貫通するビスおよび内躯体固定部１１９を貫通するビスにより躯体２に固定されている。
下枠１２には、図６に示すように、上枠１１と上下が反転した状態で、枠補強部材３０、３１、３２、突部補強部材３３および熱膨張性黒鉛８が設けられている。
【００３５】
図４に示すように、左枠１３の室外側から２つの中空部１３１ｂに設けられる枠補強部材３０には、連結板部３０ｃの室内側の面に熱膨張性黒鉛８が設けられている。連結板部３０ｃに設けられる熱膨張性黒鉛８は、２に示すように、枠補強部材３０の長手方向において内周板部３０ｂとほぼ同じ範囲に設けられている。すなわち、連結板部３０ｃの内周板部３０ｂより端部側に突出している部位には、熱膨張性黒鉛８は設けられていない。
【００３６】
枠補強部材３０の外周板部３０ａには、上下両端にて左枠１３において中空部１３１ｂの小口１３ａの内周側の縁１３ｂより先端側に延出した先端延出部１３ｄに位置する突出対向板部３０ｄから内周板部３０ｂと対向する部位の一部に亘って、その内周側に熱膨張性黒鉛８が設けられている。すなわち、左枠１３に設けられた枠補強部材３０の外周板部３０ａの上下両端に設けられた熱膨張性黒鉛８は、図２、図５に示すように、左枠１３が上枠１１及び下枠１２と接合されたときに上枠１１の中空部１１１ｂおよび下枠１２の中空部１２１ｂに向くように外周板部３０ａに貼り付けられているので、加熱された際には上枠１１の中空部１１１ｂおよび下枠１２の中空部１２１ｂに向かって発泡する。左枠１３と下枠１２との接合部は、左枠１３と下枠１２との接合部と、上下方向が反転した構成なので、図示を省略している。
【００３７】
左枠１３において外障子４を閉じた際に外障子４の戸先框２３に入り込む外突出部１３６は、図４に示すように、長手方向に沿って中空部１３６ａを備え、中空部１３６ａ内にほぼ全長にわたり、上枠１１と同様の突部補強部材３３が設けられている。外突出部１３６の中空部１３６ａ内に設けられる突部補強部材３３は、長手方向における両端部が、左枠１３の両端の小口１３ａと同様に長手方向に対して４５度をなすように斜めに形成されており、突部補強部材３３の端部が左枠１３の小口１３ａより中空部１３６ａの内側に位置して中空部１３６ａから外に突部補強部材３３が突出しないように配置されている。また、突部補強部材３３は、内周側から中空部１３６ａを貫通して中空部１３１ｄに設けられた枠補強部材３０に螺合するビスにて固定されている。また、上枠１１と左枠１３とが接合される角部においては、上枠１１の外突出部１１６の突部補強部材３３と、左枠１３の外突出部１３６の突部補強部材３３とが、不燃性である鉄製の連結金具１５とともに枠補強部材３０に螺合するビスにて固定されて連結されている。
【００３８】
左枠１３の外突出部１３６の中空部１３６ａ内に設けられる突部補強部材３３は、側対面部３３ｂが中空部１３６ａの室内側の側面に対向させて配置され、側対面部３３ｂの室外側の面に、熱膨張性黒鉛８が設けられている。側対面部３３ｂに設けられる熱膨張性黒鉛８は、図２に示すように、突部補強部材３３の長手方向において斜延出部３３ｃとほぼ同じ範囲に設けられている。すなわち、側対面部３３ｂの斜延出部３３ｃより突出している部位には、熱膨張性黒鉛８は設けられていない。
【００３９】
左枠１３の突部補強部材３３の外周対面部３３ａには、上下両端にて斜延出部３３ｃより突出している突出対向板部３３ｄから斜延出部３３ｃと対向する部位の一部に亘って、その内周側に熱膨張性黒鉛８が設けられている。すなわち、左枠１３の外周対面部３３ａの上下両端に設けられた熱膨張性黒鉛８は、上枠１１と左枠１３とが接合されたときに上枠１１の中空部１１６ａおよび下枠１２の中空部１２６ａに向くように外周対面部３３ａの突出対向板部３３ｄに貼り付けられているので、加熱された際には上枠１１の中空部１１６ａおよび下枠１２の中空部１２６ａに向かって発泡する。
【００４０】
右枠１４には、図７に示すように、室内側から２つの中空部１４１ｄに枠補強部材３２が設けられ、連結板部３２ｃの室外側の面に熱膨張性黒鉛８が設けられている。連結板部３２ｃに設けられる熱膨張性黒鉛８は、図５に示すように、枠補強部材３０の長手方向において内周板部３２ｂとほぼ同じ範囲に設けられている。すなわち、連結板部３２ｃの内周板部３２ｂより端部側に突出している部位には、熱膨張性黒鉛８は設けられていない。
【００４１】
枠補強部材３２の外周板部３２ａには、上下両端にて右枠１４において中空部１４１ｂの小口１４ａの内周側の縁１４ｂより先端側に延出した先端延出部１４ｄに位置する突出対向板部３２ｄから内周板部３２ｂと対向する部位の一部に亘って、その内周側に熱膨張性黒鉛８が設けられている。すなわち、右枠１４の外周板部３２ａの上下両端に設けられた熱膨張性黒鉛８は、図２、図５に示すように、右枠１４と上枠１１及び左枠１３とが接合されたときに、上枠１１の中空部１１１ｄおよび下枠１２の中空部に向くように外周板部３２ａに貼り付けられているので、加熱された際には上枠１１の中空部１１１ｄおよび下枠１２の中空部１２１ｄに向かって発泡する。
【００４２】
右枠１４において内障子３を閉じた際に内障子３の戸先框２３に入り込む内突出部１４５は、図７に示すように、長手方向に沿って中空部１４５ａを備え、中空部１４５ａ内にほぼ全長にわたり、上枠１１と同様の突部補強部材３３が設けられている。内突出部１４５の中空部１４５ａ内に設けられる突部補強部材３３は、長手方向における両端部が、右枠１４の両端の小口１４ａと同様に長手方向に対して４５度をなすように斜めに形成されており、突部補強部材３３の端部が右枠１４の小口１４ａより中空部１４５ａの内側に位置して中空部１４５ａから突部補強部材３３が突出しないように配置されている。また、突部補強部材３３は、内周側から中空部１４５ａを貫通して中空部１４１ｄに設けられた枠補強部材３２に螺合するビスにて固定されている。また、上枠１１と右枠１４とが接合される角部においては、上枠１１の内突出部１１５の突部補強部材３３と、右枠１４の内突出部１４５の突部補強部材３３とが、不燃性である鉄製の連結金具１５とともに枠補強部材３２に螺合するビスにて固定されて連結されている。
【００４３】
右枠１４の内突出部１４５の中空部１４５ａ内に設けられる突部補強部材３３は、側対面部３３ｂが中空部１４５ａの室外側の内面に対向させて配置され、側対面部３３ｂの室内側の面に、熱膨張性黒鉛８が設けられている。側対面部３３ｂに設けられる熱膨張性黒鉛８は、図５に示すように、突部補強部材３３の長手方向において斜延出部３３ｃとほぼ同じ範囲に設けられている。すなわち、側対面部３３ｂの斜延出部３３ｃより突出している部位には、熱膨張性黒鉛８は設けられていない。
【００４４】
右枠１４の突部補強部材３３の外周対面部３３ａには、上下両端にて右枠１４において中空部１４１ｂの小口１４ａの内周側の縁１４ｃより先端側に延出した先端延出部１４ｄに位置する突出対向板部３３ｄから斜延出部３３ｃと対向する部位の一部に亘って、その内周側に熱膨張性黒鉛８が設けられている。すなわち、右枠１４の外周対面部３３ａの上下両端に設けられた熱膨張性黒鉛８は、図５に示すように、右枠１４が上枠１１及び下枠１２と接合されたときに上枠１１の中空部１１５ａおよび下枠１２の中空部１２５ｂに向くように外周対面部３３ａの突出対向板部３３ｄに貼り付けられており、加熱された際には上枠１１の中空部１１５ａおよび下枠１２の中空部１２５ｂに向かって発泡する。
【００４５】
上枠１１、下枠１２、左枠１３及び右枠１４の小口１１ａ、１２ａ、１３ａ、１４ａ同士を突き合わせて溶着して枠状の窓枠１０を形成する場合には、中空部１１１ｂ、１１１ｄ、１２１ｂ、１２１ｄ、１３１ｂ、１３１ｄ、１４１ｂ、１４１ｄ、１１５ａ、１１６ａ、１２５ａ、１２６ａ、１３６ａ、１４５ａ内に設ける補強部材３０、３１、３２、３３を上枠１１、下枠１２、左枠１３及び右枠１４の小口１１ａ、１２ａ、１３ａ、１４ａから突出させることができないため、接合する２つの枠材１１、１２、１３、１４の接合部においては各々の中空部１１１ｂ、１１１ｄ、１２１ｂ、１２１ｄ、１３１ｂ、１３１ｄ、１４１ｂ、１４１ｄ、１１５ａ、１１６ａ、１２５ａ、１２６ａ、１３６ａ、１４５ａに設けられた補強部材３０、３１、３２、３３同士を当接させることができず、隙間が生じてしまう。
【００４６】
本実施形態の建具１の窓枠１０によれば、補強部材３０、３１、３２、３３の端部において、中空部１１１ｂ、１１１ｄ、１２１ｂ、１２１ｄ、１３１ｂ、１３１ｄ、１４１ｂ、１４１ｄ、１１５ａ、１１６ａ、１２５ａ、１２６ａ、１３６ａ、１４５ａの内周側の縁１１ｂ、１１ｃ、１２ｂ、１２ｃ、１３ｂ、１３ｃ、１４ｂ、１４ｃより長手方向に突出する突出対向板部３０ｄ、３２ｄ、３３ｄに熱膨張性黒鉛８を設けることにより、窓枠１０が火炎等により加熱された際には、小口１１ａ、１２ａ、１３ａ、１４ａから、接合される上枠１１、下枠１２、左枠１３及び右枠１４の中空部１１１ｂ、１１１ｄ、１２１ｂ、１２１ｄ、１３１ｂ、１３１ｄ、１４１ｂ、１４１ｄ、１１５ａ、１１６ａ、１２５ａ、１２６ａ、１３６ａ、１４５ａに向かって熱膨張性黒鉛８が発泡して、隣接する上枠１１、下枠１２、左枠１３及び右枠１４間に充満するので、２つの上枠１１、下枠１２、左枠１３及び右枠１４の接合部にて火炎が貫通することを防止することが可能である。
【００４７】
このとき、熱膨張性黒鉛８は中空部１１１ｂ、１１１ｄ、１２１ｂ、１２１ｄ、１３１ｂ、１３１ｄ、１４１ｂ、１４１ｄ、１１５ａ、１１６ａ、１２５ａ、１２６ａ、１３６ａ、１４５ａに長手方向に沿って設けられる補強部材３０、３１、３２、３３の、端部において中空部１１１ｂ、１１１ｄ、１３１ｂ、１３１ｄ、１４１ｂ、１４１ｄ、１３５ａ、１３６ａの内周側の縁１１ｂ、１１ｃ、１２ｂ、１２ｃ、１３ｂ、１３ｃ、１４ｂ、１４ｃより長手方向に突出する突出対向板部３０ｄ、３２ｄ、３３ｄに設ける構成としたので、容易に熱膨張性黒鉛８を設けることが可能である。このため、製造性および防火性により優れた窓枠１０を提供することが可能である。
【００４８】
また、熱膨張性黒鉛８が設けられる部位は、中空部１１１ｂ、１１１ｄ、１２１ｂ、１２１ｄ、１３１ｂ、１３１ｄ、１４１ｂ、１４１ｄ、１１５ａ、１１６ａ、１２５ａ、１２６ａ、１３６ａ、１４５ａ内にて窓枠１０の外周側に沿って設けられた外周板部３０ａ、３２ａ、３３ａの、中空部１１１ｂ、１１１ｄ、１２１ｂ、１２１ｄ、１３１ｂ、１３１ｄ、１４１ｂ、１４１ｄ、１１５ａ、１１６ａ、１２５ａ、１２６ａ、１３６ａ、１４５ａの小口１１ａ、１２ａ、１３ａ、１４ａの内周側の縁１１ｂ、１１ｃ、１２ｂ、１２ｃ、１３ｂ、１３ｃ、１４ｂ、１４ｃより長手方向に突出する突出対向板部３０ｄ、３２ｄ、３３ｄなので、加熱された際に発泡した熱膨張性黒鉛８をより確実に、接合される上枠１１、下枠１２、左枠１３及び右枠１４の中空部１１１ｂ、１１１ｄ、１２１ｂ、１２１ｄ、１３１ｂ、１３１ｄ、１４１ｂ、１４１ｄ、１１５ａ、１１６ａ、１２５ａ、１２６ａ、１３６ａ、１４５ａ内に進入させることが可能である。
【００４９】
また、補強部材３０、３２、３３において外周板部３０ａ、３２ａ、３３ａと内周板部３０ｂ、３２ｂ、３３ｂとを連結する連結板部３０ｃ、３２ｃ、３３ｃの端部の縁が上枠１１、下枠１２、左枠１３及び右枠１４の小口１１ａ、１２ａ、１３ａ、１４ａの傾斜と同じ側に傾斜するように形成されているので、補強部材３０、３２、３３の縁を、補強部材３０、３２、３３が設けられている上枠１１、下枠１２、左枠１３及び右枠１４の縁のより近くまで配置することが可能である。このため、接合する２つの上枠１１、下枠１２、左枠１３及び右枠１４の接合部において補強部材３０、３２、３３同士の間に生じてしまう隙間を、より狭くすることが可能であり、より防火性に優れた窓枠１０を提供することが可能である。
【００５０】
内障子３および外障子４は、各々面材としての複層ガラス５と、複層ガラス５を囲む合成樹脂製の枠体としての框２０とを有している。框２０は、複層ガラス５を囲むとともに当該複層ガラス５の各端部が挿入される合成樹脂製の框材でなる上框２１、下框２２、戸先框２３および戸尻框２４を有している。内障子３および外障子４の上框２１、下框２２、戸先框２３は、ほぼ同一の断面形状をなしており、内障子３の戸尻框２４と外障子４の戸尻框２４とは、見込み方向において互いに対向する部位に設けられた煙返しを構成する部位の形状が相違している。
【００５１】
框２０は、図１に示すように、上框２１、下框２２、戸先框２３および戸尻框２４が各々の長手方向における小口２１０、２２０、２３０、２４０が長手方向に対して４５度をなすように斜めに切断され、互いに隣接する框材２１、２２、２３、２４の小口２１０、２２０、２３０、２４０同士を突き合わせて溶着することにより形成されている。内障子３および外障子４の内部構造は、ほぼ同様なので、以下の説明においては、外障子４の上框２１と戸先框２３との接合部を例に挙げて構造を説明する。
【００５２】
外障子４の上框２１および戸先框２３は、図２、図３に示すように、框本体２１ａ、２３ａと、框本体２１ａ、２３ａに設けられた係合溝２１ｂ、２３ｂに各々係合される押縁６と、を有している。框本体２１ａ、２３ａに係合された押縁６は、矩形状に接合された框２０の状態において、その内周側に、複層ガラス５の端部が挿入される面材挿入部としてのガラス挿入部２１ｃ、２３ｃを框本体２２ａ、２３ａとともに形成する。
【００５３】
上框２１および戸先框２３は、ガラス挿入部２１ｃ、２３ｃの外周側に各々長手方向に貫通する中空部２１ｄ、２３ｄを有し、さらに中空部２１ｄ、２３ｄの外周側に窓枠１０に設けられ窓枠１０の内周側に突出する上枠１１の外突出部１１６または左枠１３の外突出部１３６が挿入される溝状凹部２１ｅ、２３ｅを有している。ガラス挿入部２１ｃ、２３ｃ、中空部２１ｄ、２３ｄ、溝状凹部２１ｅ、２３ｅは、いずれも上框２１、戸先框２３の各々全長に渡って設けられている。
【００５４】
すなわち、複層ガラス５の上に位置する上框２１においては、下部に複層ガラス５の上端が挿入されるガラス挿入部２１ｃが設けられており、ガラス挿入部２１ｃの上（外周側）に中空部（以下、上框中空部ともいう）２１ｄが設けられており、中空部２１ｄの上（外周側）に、窓枠１０の上枠１１に設けられた外突出部１１６が挿入される溝状凹部２１ｅが、いずれも上框２１の全長に亘って設けられている。
【００５５】
上框２１および戸先框２３のガラス挿入部２１ｃ、２３ｃ内には、複層ガラス５の周端部を覆うように不燃性である鉄製の保持部材７が設けられ、上框２１および戸先框２３の中空部２１ｄ、２３ｄ内には、不燃性である鉄製の框補強部材２５が設けられ、溝状凹部２１ｅ、２３ｅ内には、不燃性である鉄製の溝補強部材２６が各々設けられている。保持部材７、框補強部材２５、溝補強部材２６は、各々上框２１および戸先框２３のほぼ全長に亘って設けられ、保持部材７と框補強部材２５とはガラス挿入部２１ｃ、２３ｃから中空部２１ｄ、２３ｄに貫通するビスまたはリベットにより接合され、框補強部材２５と溝補強部材２６とは、溝状凹部２１ｅ、２３ｅから中空部２１ｄ、２３ｄに貫通するビスまたはリベットにより接合されている。また、互いに隣接して接合される上框２１と戸先框２３とに設けられた框補強部材２５同士は不燃性である鉄製の連結金具９により連結されている。
【００５６】
框補強部材２５は、断面がコ字状をなし、複層ガラス５の面内方向において対向する一対の対向壁部２５ａと、対向壁部２５ａの一方の端同士を連結する連結壁部２５ｂと、を有している。一対の対向壁部２５ａは、中空部２１ｄ、２３ｄにおいて複層ガラス５の面内方向において対向する内面と対面し、連結壁部２５ｂは、中空部２１ｄ、２３ｄの室外側の内面と対面するように配置されている。
【００５７】
框補強部材２５は、長手方向における両端部が、上框２１および戸先框２３の両端の小口２１０、２３０と同様に長手方向に対して４５度をなすように斜めに形成されており、框補強部材２５の端部が上框２１および戸先框２３の小口２１０、２３０より中空部２１ｄ、２３ｄの内側に位置して中空部２１ｄ、２３ｄから框補強部材２５が突出しないように配置されている。框補強部材２５の連結壁部２５ｂの両面にはそれぞれ加熱発泡材としての熱膨張性黒鉛８が設けられている。連結壁部２５ｂに設けられる熱膨張性黒鉛８は、図２に示すように、框補強部材２５の長手方向において内周側に位置する対向壁部（内対向壁部）２５ａとほぼ同じ範囲に設けられている。すなわち、連結壁部２５ｂの内対向壁部２５ａより端部側に突出している部位には、熱膨張性黒鉛８は設けられていない。
【００５８】
また、一対の対向壁部２５ａのうち、框２０の外周側に位置する対向壁部（外対向壁部）２５ａの両端部には、小口２１０、２３０の内周側の縁２１０ａ、２３０ａより先端側に延出した先端延出部２１０ｂ、２３０ｂに位置する突出対向壁部２５ｃから内対向壁部２５ａの一部に亘って、その内周側に熱膨張性黒鉛８が設けられている。すなわち、上框２１および戸先框２３の外対向壁部２５ａの両端部に設けられた熱膨張性黒鉛８は、上框２１と戸先框２３とが接合されたときに上框２１および戸先框２３の中空部２１ｄ、２３ｄに向くように外対向壁部２５ａに貼り付けられているので、加熱された際には相手となる上框２１および戸先框２３の中空部２１ｄ、２３ｄに向かって発泡する。
【００５９】
溝補強部材２６は、断面がコ字状をなし、溝状凹部２１ｅ、２３ｅの対向する壁部２１ｆ、２３ｆにそれぞれ沿うとともに対面する室内側壁部２６ａおよび室外側壁部２６ｂと、室内側壁部２６ａおよび室外側壁部２６ｂの一方の端同士を連結し底部２３ｇに沿うとともに対面する底側連結部２６ｃと、を有している。
【００６０】
溝補強部材２６の長手方向における両端部は、上框２１および戸先框２３の両端の小口２１０、２３０と同様に長手方向に対して４５度をなすように斜めに形成されており、溝補強部材２６の端部が上框２１および戸先框２３の小口２１０、２３０より溝状凹部２１ｅ、２３ｅの内側に位置して溝状凹部２１ｅ、２３ｅから溝補強部材２６が突出しないように配置されている。溝補強部材２６の底側連結部２６ｃの外周側の面には全長に亘って熱膨張性黒鉛８が設けられている。また、室内側壁部２６ａの室内側の面および室外側壁部２６ｂの室外側の面にも、全長に亘って熱膨張性黒鉛８が設けられている。
【００６１】
上框２１、下框２２、戸先框２３および戸尻框２４のうちの隣接する框材２１、２２、２３、２４の小口２１０、２２０、２３０、２４０同士を突き合わせて溶着して枠状の框２０を形成する場合には、中空部２１ｄ、２２ｄ、２３ｄ、２４ｄ内に設ける補強部材２５を上框２１、下框２２、戸先框２３および戸尻框２４の小口２１０、２２０、２３０、２４０から突出させることができないため、接合する２つの框材２１、２２、２３、２４の接合部においては各々の中空部２１ｄ、２３ｄに設けられた補強部材２５同士を当接させることができず、隙間が生じてしまう。
【００６２】
本実施形態の建具１の障子３、４によれば、補強部材２５の端部において、中空部２１ｄ、２３ｄの内周側の縁２１０ａ、２３０ａより長手方向に突出する突出対向壁部２５ｃに熱膨張性黒鉛８を設けることにより、框２０が火炎等により加熱された際には、小口２１０、２２０、２３０、２４０から、接合される上框２１、下框２２、戸先框２３および戸尻框２４の中空部２１ｄ、２３ｄに向かって熱膨張性黒鉛８が発泡して、隣接する上框２１、下框２２、戸先框２３および戸尻框２４間に充満するので、２つの上框２１、下框２２、戸先框２３および戸尻框２４の接合部にて火炎が貫通することを防止することが可能である。このとき、熱膨張性黒鉛８は中空部２１ｄ、２３ｄに長手方向に沿って設けられる補強部材２５の、端部において中空部２１ｄ、２３ｄの内周側の縁２１０ａ、２３０ａより長手方向に突出する突出対向壁部２５ｃに設ける構成としたので、容易に熱膨張性黒鉛８を設けることが可能である。このため、製造性および防火性により優れた框２０を提供することが可能である。
【００６３】
また、熱膨張性黒鉛８が設けられる部位は、中空部２１ｄ、２３ｄ内にて框２０の外周側に沿って設けられた外対向壁部２５ａの、中空部２１ｄ、２３ｄの小口２１０、２３０、の内周側の縁２１０ａ、２３０ａより長手方向に突出する突出対向壁部２５ｃなので、加熱された際に発泡した熱膨張性黒鉛８をより確実に、接合される上框２１、下框２２、戸先框２３および戸尻框２４の中空部２１ｄ、２３ｄ内に進入させることが可能である。
【００６４】
また、補強部材２５において外対向壁部２５ａと内対向壁部２５ａとを連結する連結壁部２５ｂの端部の縁が上框２１、下框２２、戸先框２３および戸尻框２４の小口２１０、２２０、２３０、２４０の傾斜と同じ側に傾斜するように形成されているので、補強部材２５の縁を、設けられている上框２１、下框２２、戸先框２３および戸尻框２４の縁のより近くまで配置することが可能である。このため、接合する２つの上框２１、下框２２、戸先框２３および戸尻框２４の接合部において補強部材２５同士の間に生じてしまう隙間を、より狭くすることが可能であり、より防火性に優れた框２０を提供することが可能である。
【００６５】
また、框２０の内周側に複層ガラス５の周端部を収容した障子３、４によれば、框２０が製造性および防火性により優れた框２０なので、製造性および防火性により優れた障子３、４を提供することが可能である。
【００６６】
また、上記窓枠１０と、上記障子３、４と、上記窓枠１０と、を備えた建具１によれば、製造性および防火性により優れた障子３、４および窓枠１０を備えた建具１を提供することが可能である。
【００６７】
上記実施形態においては、窓枠１０を形成する枠材１１、１２、１３、１４および框２０を形成する框材２１、２２、２３、２４を合成樹脂製とし、補強部材３０、３１、３２，３３、２５、２６を鉄製としたが、これに限らず、補強部材の素材が中空部材の素材よりより融点が高ければ構わない。
【００６８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６９】
１  建具、３  内障子（障子）、４  外障子（障子）、５  複層ガラス、８  熱膨張性黒鉛、１０  窓枠、１０ａ  開口、１１  上枠、１１ａ  小口、１１ｂ  内周側の縁、１１ｃ  内周側の縁、１１ｄ  先端延出部、１２  下枠、１２ａ  小口、１２ｂ  内周側の縁、１２ｃ  内周側の縁、１２ｄ  先端延出部、１３  左枠、１３ａ  小口、１３ｂ  内周側の縁、１３ｃ  内周側の縁、１３ｄ  先端延出部、１４  右枠、１４ａ  小口、１４ｂ  内周側の縁、１４ｃ  内周側の縁、１４ｄ  先端延出部、２０  框、２１  上框、２１ｄ  中空部、２２  下框、２２ｄ  中空部、２３  戸先框、２３ｄ  中空部、２５  框補強部材、２５ａ  外対向壁部、２５ａ  内対向壁部、２５ｂ  連結壁部、２５ｃ  突出対向壁部、３０  枠補強部材、３０ａ  外周板部、３０ｂ  内周板部、３０ｃ  連結板部、３０ｄ  突出対向板部、３２  枠補強部材、３２ａ  外周板部、３２ｂ  内周板部、３２ｃ  連結板部、３２ｄ  突出対向板部、３３  突部補強部材、３３ａ  外周対面部、３３ｂ  側対面部、３３ｃ  斜延出部、３３ｄ  突出対向板部、１１１ｂ  中空部、１１１ｄ  中空部、１１５  内突出部、１１５ａ  中空部、１１６  外突出部、１１６ａ  中空部、１２１ｂ  中空部、１２１ｄ  中空部、１２５  内突出部、１２５ａ  中空部、１２６  外突出部、１２６ａ  中空部、１３１ｂ  中空部、１３１ｄ  中空部、１３６  外突出部、１３６ａ  中空部、１４１ｂ  中空部、１４１ｄ  中空部、１４５  内突出部、１４５ａ  中空部、２１０  小口、２１０ａ  内周側の縁、２１０ｂ  先端延出部、２２０  小口、２２０ａ  内周側の縁、２２０ｂ  先端延出部、２３０  小口、２３０ａ  内周側の縁、２３０ｂ  先端延出部、２４０  小口、２４０ａ  内周側の縁、２４０ｂ  先端延出部
【図１】
2018035665.tif 000003
【図２】
2018035665.tif 000004
【図３】
2018035665.tif 000005
【図４】
2018035665.tif 000006
【図５】
2018035665.tif 000007
【図６】
2018035665.tif 000008
【図７】
2018035665.tif 000009